(57)【特許請求の範囲】
【請求項１】
純水精製システムに組み込まれたサーバ（１２５）が、第１のリモートブラウザを介して編集インタフェース（３００）を表示するステップであって、前記純水精製システムのセンサから送られる物理的測定値と前記純水精製システムを構成する電気装置に関する測定値と前記純水精製システムに組み込まれるソフトウェアに付随する情報の少なくとも１つを含む、純水精製システムに関連付けられた物理量を表す利用情報の項目を選択するための領域を含む前記編集インタフェースを提供するステップと、
前記第１のリモートブラウザ経由で、情報の前記各項目を含む前記純水精製システムの少なくとも１つの利用インタフェースページを構成するための利用情報の少なくとも１つの前記項目を選択するステップと、
第２のリモートブラウザによって、１つまたは複数の純水精製システムの中から前記純水精製システムを選択するステップと、
前記第２のリモートブラウザによって、前記サーバに対して前記利用インタフェースページにアクセスする要求を送信するステップと、
前記サーバによって、前記要求に関連するページを構成するための情報の選択された項目により表される各物理量の値を収集するステップと、
前記サーバによって、収集された前記各物理量の値を含む前記ページを提供するステップと
を含むことを特徴とする、少なくとも１つの純水精製システム（１０５）のための検査制御方法。
【請求項２】
編集インタフェースを提供するステップで、前記インタフェースが前記純水精製システムを操作するための設定値を表す利用情報の項目を選択するための領域を含み、
第１のリモートブラウザ経由で選択するステップで、設定値を表す利用情報の少なくとも１つの前記項目が前記純水精製システムの利用インタフェースページを構成するために選択され、さらに
前記第２のリモートブラウザ経由で、前記利用インタフェースページ内の少なくとも１つの設定値を提供するステップと、
ウェブサーバに提供された前記各設定値を伝送するステップと、
前記各設定値に基づいて、前記ウェブサーバ経由で、純水精製システムを制御するステップと
を含むことを特徴とする、請求項１に記載の方法。
【請求項３】
前記第１のリモートブラウザ経由で、情報の前記各項目を含む前記純水精製システムの利用インタフェースページを構成するための利用情報の少なくとも１つの前記項目を選択するステップで、利用情報の前記各項目の識別子が前記ページの記述に挿入されることと、
前記サーバ（１２５）により、収集された前記各物理量の値を含む前記ページを提供するステップで、前記サーバ（１２５）がページの前記記述を調べて情報の項目の選択された識別子にたどり着くと、前記識別子を第２のリモートブラウザに提供されるページ内の表示された物理量の値と置換することと
を特徴とする、請求項１または２に記載の方法。
【請求項４】
編集インタフェースを提供するステップで、純水精製システムに関連付けられた物理量を表す利用情報の項目を選択するための領域が、純水精製システムの水質の少なくとも１つの瞬間値を含むことを特徴とする、請求項１から３のいずれか一項に記載の方法。
【請求項５】
編集インタフェース（３００）を提供するステップで、純水精製システムに関連付けられた物理量を表す利用情報の項目を選択するための領域が、
予防保全の動作を表す情報の少なくとも１つの項目、
前記純水精製システムにおける消耗品の残量を表す情報の少なくとも１つの項目、
純水精製システムの適格性および有効性を表す情報の少なくとも１つの項目、
純水精製システムの情報を表す動作診断の少なくとも１つの項目、
純水精製システムを操作するためのソフトウェアアプリケーションの更新を表す情報の少なくとも１つの項目、
純水精製システムで発生するイベントに関連付けられた電子メールを表す情報の少なくとも１つの項目、および／または
純水精製システムの過去の使用量を表す情報の少なくとも１つの項目を含むことを特徴とする、請求項１から４のいずれか一項に記載の方法。
【請求項６】
前記サーバにより収集された前記各物理量の値を含む前記ページを提供するステップで、前記ページが純水精製システムにおける概略フローを表すことを特徴とする、請求項１から５のいずれか一項に記載の方法。
【請求項７】
前記サーバ（１２５）による前記要求に関するページを構成するために選択された情報の項目で表される各物理量の値を収集するステップで、少なくとも１つのＳＳＩコマンド（ＳＳＩは、「Ｓｅｒｖｅｒ  Ｓｉｄｅ  Ｉｎｃｌｕｄｅ」の略）が実行されることを特徴とする、請求項１から６のいずれか一項に記載の方法。
【請求項８】
純水精製システムに組み込まれたサーバ（１２５）が、第１のリモートブラウザを介して表示する編集インタフェース（３００）であって、前記純水精製システムのセンサから送られる物理的測定値と前記純水精製システムを構成する電気装置に関する測定値と前記純水精製システムに組み込まれるソフトウェアに付随する情報の少なくとも１つを含む、純水精製システムに関連付けられた物理量を表す利用情報の項目を選択するための領域を含む前記編集インタフェースを提供するための手段と、
前記第１のリモートブラウザ経由で行われた利用情報の少なくとも１つの前記項目の選択を受信し、情報の前記各項目を含む前記純水精製システムの少なくとも１つの利用インタフェースページを構成するための手段と、
第２のリモートブラウザから、前記利用インタフェースページにアクセスする要求を受信するための手段と、
前記要求に関するページを構成するための情報の選択された項目により表される各物理量の値を収集するための手段と、
収集された前記各物理量の値を含む前記ページを提供するための手段と
を含むことを特徴とする、少なくとも１つの純水精製システム（１０５）のための検査制御装置。
【発明の詳細な説明】
【技術分野】
【０００１】
本発明は、少なくとも１つの純水精製システムのための検査制御装置およびその方法に関する。特に、本発明は、純水精製システム一式の監視、検査、保全、制御に関する。
【０００２】
本発明は、より詳細には、ソフトウェアパッケージや通信基盤としてハイパーテキスト転送プロトコル（「ｈｔｔｐ」）および交換ファイルを使用する他のソフトウェアなどの他のコンピュータ制御システム、およびＯＥＭで製造する場合に純水精製システムを統合する必要のある臨床分析機器や他のシステムなどの組み込みシステムとの純水精製システムの構成可能なインタフェースに関する。
【背景技術】
【０００３】
全ての純水精製システムにおいて、現在では以下の機能を達成するために「ＲＳ２３２」規格に従うシリアルリンクのみを使用している：
ＡＳＣＩＩ／ＲＳ２３２プロトコルに対応するプリンタでの純水精製システムのデータの印刷、
特定のソフトウェアアプリケーションによる純水精製システムのデータのコンピュータへのダウンロード、
特定のソフトウェアアプリケーションによるコンピュータから純水精製システムへのデータ、設定、コマンドのダウンロード。
【発明の概要】
【発明が解決しようとする課題】
【０００４】
この技術的解決策は、多くの欠点を伴う。まず、純水精製システムと結合される装置のプリンタまたはコンピュータとの間の最大距離が約１０ｍに制限される。さらに、データスループットが約１０Ｋバイト／秒に制限される。また、特定のソフトウェアアプリケーションは、各々のタイプのオペレーティングシステム（例えば、Ｍｉｃｒｏｓｏｆｔ  Ｗｉｎｄｏｗｓ（登録商標）、Ｌｉｎｕｘ、ＭａｃＯｓ−登録商標）に対して、また各言語に対して開発され、実装されなければならない。さらに、限られた種類のプリンタが使用され得る、つまり、ＡＳＣＩＩ／ＲＳ２３２プロトコルに対応するプリンタが使用される。しかしながら、このタイプのプリンタは使用されなくなってきている。
【０００５】
本発明は、これらの欠点を軽減することを目的とする。
【課題を解決するための手段】
【０００６】
この目的を達成するために、本発明の第１の態様は少なくとも１つの純水精製システムのための検査制御方法に関する。方法は：
前記純水精製システムに組み込まれたサーバにより、第１のリモートブラウザにより表示するための編集インタフェースであって、純水精製システムに関連付けられた物理量を表す利用情報の項目を選択する領域を含む編集インタフェースを提供するステップと、
前記第１のリモートブラウザ経由で、情報の前記各項目を含む前記純水精製システムの少なくとも１つの利用情報インタフェースページを構成するための利用情報の少なくとも１つの前記項目を選択するステップと、
第２のリモートサーバにより、前記純水精製システムを選択するステップと、
前記第２のリモートブラウザにより、前記サーバに対して前記利用ページにアクセスする要求を送信するステップと、
前記サーバにより、前記要求に関連するページを構成するために情報の選択された項目によって表される各物理量の値を収集するステップと、
前記サーバにより、収集された前記各値を含む前記ページを提供するステップとを含むことを特徴とする。
【０００７】
したがって、本発明の実施により、純水精製システムにおいて、システムの更新や変更を行わないで、交換ファイルのコンテンツおよびコンテンツが提示されるフォーマットに適応させることができる。本発明は、ユーザが自分の要求に従って可能な交換ファイルを構成できるように、種々の交換ファイルを構成するために設けられた使いやすく直観的なインタフェースを使用する。
【０００８】
したがって、ウェブ技術を実装することによって、ユーザは、任意の地理的場所から純水精製システムにアクセスすることができる（すなわち、ユーザとシステムとの間の距離に制限はなくなる）。さらに、ユーザは、純水精製システムと通信するために自分のコンピュータに特定のソフトウェアアプリケーションをインストールする必要がなくなる。これは、この通信が、例えば、パーソナルコンピュータ、携帯端末、または携帯電話上で標準ウェブブラウザによって可能になるためである。また、純水精製システムからのデータの印刷も、標準ウェブブラウザから実行され、このために市販の任意のプリンタが使用できる。さらに、ウェブ技術により使用される媒体は、ＲＳ２３２シリアルリンクの場合よりもきわだって速いデータ転送速度を有する。このことにより、かなり多くのデータ量をダウンロードおよび／または監視することが可能になる。本発明の実施は、特に、医薬品の研究、分析、治験の品質保証「ＱＡ」および／または「ＱＣ」品質管理「ＱＣ」の試験室で使用されるのを意図とする新規のサービスを提供する。また、本発明の実施により、ユーザが医薬品安全性試験実施基準に従って作業するのを支援することもできる。
【０００９】
本発明の他の利点の中には：
通信メッセージ（広告、イベント、オンライン文書など）を遠隔で自動的に伝えるために純水精製システムのユーザインタフェースを使用することと、
純水精製システムが研究室情報管理システム（「ＬＩＭＳ」と呼ばれる）とインタフェースをとるのを容易にすることと、
純水精製システムをＦＤＡ（「食品医薬品局」の略語）の規制、特に、これらの規制のうち２１ＣＦＲ１１に準拠させるのを支援することと、
「ＯＥＭ」（「相手先商標製品の製造会社」の略）市場との関連で、独自のシステムを構成する場合に純水精製システムの変換や統合を容易にすることとがある。
【００１０】
特定の特徴によれば：
編集インタフェースを提供するステップで、前記インタフェースは前記純水精製システムを操作するための設定値を表す利用情報の項目を選択する領域を含み、
第１のリモートブラウザ経由で選択するステップで、設定値を表す利用情報の少なくとも１つの前記項目は前記純水精製システムの利用インタフェースページを構成するために選択され、
簡単に上述したように、本発明の方法は：
前記第２のブラウザ経由で、前記利用インタフェースページ内の少なくとも１つの設定値を提供するステップと、
ウェブサーバに提供された各前記設定値を送信するステップと、
各前記設定値に基づいて、前記ウェブサーバにより純水精製システムを制御するステップとを含む。
【００１１】
これらの条件により、純水精製システムの制御インタフェースを構成することも可能である。
【００１２】
特定の特徴によれば：
前記第１のリモートブラウザ経由で、利用情報の各前記項目を含む前記純水精製システムの利用インタフェースページを構成するための利用情報の少なくとも１つの前記項目を選択するステップで、利用情報の各前記項目の識別子が前記ページの記述に挿入され、
前記サーバにより、収集された各前記値を含む前記ページを提供するステップで、サーバがページの前記記述を調べて情報の項目の選択された識別子にたどり着くと、前記識別子を第２のリモートブラウザに提供されるページ内の表示された物理量の値と置換する。
【００１３】
したがって、本発明の実施は容易であり、物理量の値の表示が迅速である。
【００１４】
特定の特徴によれば、編集インタフェースを提供するステップで、純水精製システムに関連付けられた物理量を表す利用情報の項目を選択するための領域は、純水精製システムの水質の少なくとも１つの瞬間値を含む。
【００１５】
例えば、そのウェブページは、リアルタイムで主要な水質パラメータを示す。これらの値は、ファイルに印刷され、または保存されてスプレッドシートで分析され得る。
【００１６】
特定の特徴によれば、編集インタフェースを提供するステップで、純水精製システムに関連付けられた物理量を表す利用情報の項目を選択するための領域は：
予防保全の動作を表す情報の少なくとも１つの項目、
前記純水精製システム内に残っている消費量を表す情報の少なくとも１つの項目、
純水精製システムの適格性および有効性を表す情報の少なくとも１つの項目、
純水精製システムの情報を表す動作診断の少なくとも１つの項目、
純水精製システムを操作するためのソフトウェアアプリケーションの更新を表す情報の少なくとも１つの項目、
純水精製システムで発生するイベントに関連付けられた電子メールを表す情報の少なくとも１つの項目、および／または
純水精製システムの過去の使用量を表す情報の少なくとも１つの項目を含む。
【００１７】
したがって、本発明は、純水精製システムに関連付けられた複数のアプリケーションの管理を可能にする。したがって、純水精製プロセスに関連するデータの全てがリアルタイムで表示され得る。
【００１８】
同様に、自動コマンドが実行され、純水精製システムのローカルユーザは使用中の消費量が使い尽くされる前に新しい消費量を受信することができる。
【００１９】
さらに、例えば、遠隔で試験手順を開始するのに、リアルタイムで純水精製システムと対話可能であるので、診断を支援することができる。
【００２０】
特定の特徴によれば、前記サーバにより、収集された前記各値を含む前記ページを提供するステップで、前記ページは純水精製システムにおける概略フローを表す。
【００２１】
したがって、純水精製システムの監視は、より直観的でより容易になる。
【００２２】
特定の特徴によれば、前記ユーザによる前記要求に関するページを構成するために選択された情報の項目で表される各物理量の値を収集するステップで、少なくとも１つのＳＳＩコマンドが実行される（ＳＳＩは、「Ｓｅｒｖｅｒ  Ｓｉｄｅ  Ｉｎｃｌｕｄｅ」の略）。これらの条件により、ページを構成する時に更新された値を含むページが容易に構成される。
【００２３】
第２の態様によれば、本発明は、少なくとも１つの純水精製システムのための検査制御装置に関し、装置は：
前記純水精製システムに組み込まれたサーバにより、第１のリモートブラウザにより表示するための編集インタフェースであって、純水精製システムに関連付けられた物理量を表す利用情報の項目を選択する領域を含む編集インタフェースを提供するための手段と、
前記第１のリモートブラウザ経由で行われた利用情報の少なくとも１つの前記項目の選択を受信し、情報の前記各項目を含む前記純水精製システムの少なくとも１つの利用インタフェースページを構成するための手段と、
第２のリモートブラウザから、前記利用ページにアクセスする要求を受信するための手段と、
前記要求に関するページを構成するために、情報の選択項目で表される各物理量の値を収集するための手段と、
収集された前記各値を含む前記ページを提供するための手段とを備えることを特徴とする。
【００２４】
特有の利点として、この装置の目的および特徴は、簡単に上述したような本発明の方法の目的および特徴と同様であり、ここではあらためて説明しない。
【００２５】
本発明の他の利点、目的、特徴は、添付図面を参照して例示のために挙げられた以下の説明（これに限定されない）により明らかになる。
【図面の簡単な説明】
【００２６】
【図１】本発明の装置の特定の実施形態の図である。
【図２】図１で示された装置により実施されるステップをロジグラムの形式で示した図である。
【図３】図１に示された装置に組み込まれたウェブサーバにより提供されるページを遠隔編集するためのユーザインタフェースを示す図である。
【図４】図１に示された装置内でのメッセージの交換を示す図である。
【図５】本発明の方法の特定の実施形態で実施されるステップを論理的に示した図である。
【図６】純水精製システムのリモートブラウザにより表示される利用インタフェースを図式的に示す図である。
【発明を実施するための形態】
【００２７】
説明全体にわたって、純水精製システムに近い要素は「ローカル」とし、純水精製システムの必ずしも近くない要素は「リモート」とされる。
【００２８】
図１には純水精製システム１０５が示されており、純水精製システム１０５はローカルネットワーク１１０を介してプリンタ１１５、端末１２０、ネットワークサーバ１２５に関連付けられる。広域エリアコンピュータネットワーク１３０、例えば、インターネットネットワークがこれらの要素を、ローカルネットワーク１５０を介して、データベースサーバ１６０、電子メールサーバ１６５、ウェブサーバ１７０、端末１７５に接続されているリモートネットワークサーバ１５５に接続する。さらに広域エリアコンピュータネットワーク１３０は、ネットワーク上にない端末１８０によりアクセス可能である。端末１７５、１８０は、標準ブラウザを実装し、例えば、パーソナルコンピュータ、携帯端末または携帯電話で構成される。
【００２９】
図１では、明確にするために、純水精製システム１０５の１つの利用サイトのみが示されているが、本発明は純水精製システム１０５を実装する多数のサイトと対話するように構成されることに留意されたい。
【００３０】
同様に、図１では、１つの純水精製システム１０５のみがローカルネットワークサーバ１２５に関連付けられて示されている。しかしながら、本発明は、ネットワークサーバ１２５による純水精製システム１０５の検査制御に限定されるわけではない。
【００３１】
一変形例としては、ネットワークサーバ１２５は純水精製システム１０５内に組み込まれる。
【００３２】
純水精製システム１０５は：
純水精製システム１０５の動作、特に、精製水の質および量を表す物理量のセンサ１０６と、
特に、純水精製システム１０５で発生するイベントを検出する純水精製システム１０５を操作するためのソフトウェアの少なくとも１つの項目の命令を実行するマイクロプロセッサ１０７と、
そのソフトウェアの最新の更新を記憶するメモリ１０８と、
純水精製システム１０５を操作するためのソフトウェアのアイテムを更新するためのソフトウェアの少なくとも１つのアイテムとを備える。
【００３３】
ネットワークサーバ１２５と純水精製システム１０５とは、通信インタフェース１３５を介して通信する。知られているタイプのこの通信インタフェース１３５は、純水精製システム１０５の動作を表すデータを前記システム１０５から前記サーバ１２５に伝えるだけでなく、純水精製システム１０５の動作を変更するためのデータをサーバ１２５から前記システム１０５に伝えるように構成されている。
【００３４】
さらに、ローカルネットワーク１２５は：
純水精製システム１０５上で実行する予防保全動作の自動管理および計画のためのアプリケーション１４１と、
純水精製システム１０５の消費量の自動管理のためのアプリケーション１４２と、
純水精製システム１０５の適格性および有効性の自動管理および計画のためのアプリケーション１４３と、
前記純水精製システム１０５の動作診断アプリケーション１４４と、
純水精製システム１０５を操作するためのソフトウェアアプリケーションを更新するためのアプリケーション１４５と、
純水精製システム１０５上で発生するイベントを表す電子メールを遠隔送信するように構成された電子メール自動送信のためのアプリケーション１４６と、
純水精製システム１０５の使用を遠隔で自動的に監視するためのアプリケーション１４７とをホストする。
【００３５】
ローカルネットワークサーバ１２５は、知られているタイプのウェブサーバアプリケーション１４０をホストする。ウェブサーバアプリケーション１４０は、例えば、端末１７５、１８０上で動作する標準ウェブブラウザに対して、広域エリアネットワーク１３０経由で、純水精製システムのために前記サーバにより受信されたデータを表す少なくとも１つのページと、リモート端末により前記純水精製システムに伝送するためのデータを提供するための少なくとも１つのページとを遠隔提供するように構成されている。
【００３６】
また、ウェブサーバアプリケーション１４０は、純水精製システム１０５の水質の瞬間値を表す少なくとも１つのページと、純水精製システム１０５の動作パラメータを表す少なくとも１つのページとを提供するように構成されている。
【００３７】
さらに、ウェブサーバアプリケーション１４０は、純水精製システム１０５の概略フローを表す少なくとも１つのページを提供するように構成されている。監視に関しては、ウェブサーバアプリケーション１４０は、状態、センサ１０６から送られるデータ、および／または構成パラメータ値の表示は純水精製システム１０５の概略フローの形式で使用する。純水精製プロセスに関連付けられたデータの全ては、リアルタイムで表示される。この表示によって、ハードウェアの問題の診断がとても容易になる。さらに、このインタフェースを介して、システムの動作モードを変更することが可能である。このインタフェースについては、他の段落で説明する。
【００３８】
また、ウェブサーバアプリケーション１４０は、純水精製システム１０５のセンサ１４０の較正を表す少なくとも１つのページを提供するように構成されている。
【００３９】
また、ウェブサーバアプリケーション１４０は、異なる他のコンピュータアプリケーションにリンクされたデータ、特に：
予防保全動作の自動管理および計画のためのアプリケーションにより提供される前記保全動作を表す少なくとも１つのページと、
消費量の自動管理のためのアプリケーションにより提供される消費必要量を表す少なくとも１つのページと、
純水精製システムの適格性および有効性の自動管理および計画のためのアプリケーションにより提供される適格性および有効性を表す少なくとも１つのページと、
診断アプリケーションにより提供される少なくとも１つの診断を表す少なくとも１つのページと、
更新ソフトウェアによって実装される純水精製システムを操作するためのソフトウェアの更新アイテムをリモート端末により提供するための少なくとも１つのページとを提供するように構成されている。
【００４０】
図２に示されるように、図１に示された装置は設置されると、センサ１０６により提供される値の取得を含む純水精製システム１０５を操作するステップ２０５を実施する。次に、ステップ２１０で、純水精製システム１０５は、前記システム１０５のイベントの発生を検出するイベント処理動作を実行する。
【００４１】
ステップ２１５で、収集されたデータおよびイベントが純水精製システム１０５のメモリに入れられ、ローカルネットワークサーバ１２５に送信され、ローカルネットワークサーバ１２５は同じように前記データおよびイベントをメモリ内に配置する。この場合、変形例として、ネットワークサーバ１２５が純水精製システム１０５内に組み込まれることを思い出すべきである。
【００４２】
イベントが検出された場合、サーバ１２５は電子メールの自動送信の動作を実行して、純水精製システム１０５で発生するイベントを表す電子メールを遠隔伝送する。
【００４３】
ステップ２２０で、システム１０５の動作を変更するためのデータ、例えば、新規構成パラメータ値またはシステム１０５を操作するためのソフトウェア１０６の更新のための要素がローカルサーバ１２５から受信される。
【００４４】
純水精製システムに伝えられるメッセージのうち、サーバ１２５は通信メッセージ（広告、イベント、オンライン文書など）を遠隔および自動で伝送することもできることに留意されたい。この通信メッセージはその後、純水精製システム１０５のユーザインタフェースによってユーザに提示される。
【００４５】
ステップ２２５で、純水精製システム１０５を操作するためのソフトウェアの更新がサーバ１２５に必要であるか否かが判断される。必要である場合、ステップ２３０で、ローカル端末１２０によってまたはサーバ１２５経由でリモートコンピュータシステムによって提供された更新を実施することによって、更新ソフトウェアがシステム１０５のメモリ１０８内でオペレーティングソフトウェアの更新を実行し、その後システム１０５は再び開始される。
【００４６】
ステップ２２５で必要でないとの結果である場合、またはステップ２３０に続いて、ステップ２３５で、新規構成パラメータ値が受信されたか否かが判断される。受信された場合、ステップ２４０で、これらのパラメータの値がシステム１０５のメモリ１０８内で変更される。
【００４７】
ステップ２４０に続いて、またはステップ２３５で受信されていないとの結果の場合、ステップ２４５で、純水精製システム１０５上で実行する予防保全動作の自動計画および管理の動作が実行され、これらの動作の結果がサーバ１２５に伝送される。
【００４８】
次に、ステップ２５０で、純水精製システム１０５の消費量の自動管理の動作が実行され、これらの動作の結果がサーバ１２５に伝送される。
【００４９】
ステップ２５５では、純水精製システム１０５の適格性および有効性の自動管理および計画の動作が実行され、これらの動作の結果がサーバ１２５に伝送される。
【００５０】
ステップ２６０で、前記純水精製システム１０５の動作の診断動作が実行され、これらの動作の結果がサーバ１２５に伝送される。
【００５１】
ステップ２６５で、考慮された端末のうちの１つで動作する標準ウェブブラウザの要求時に、または静的に、サーバは図１に関して詳細に説明されたページを作成する。サーバが受信する全てのデータを記憶するので、リモートユーザがＭｉｃｒｏｓｏｆｔ  ＥｘｃｅｌまたはＡｃｃｅｓｓ（登録商標）などのソフトウェアアプリケーションを使用してこれらのデータを分析または利用するために、これらのデータを調べてＸＭＬファイルに保存することが可能である。
【００５２】
次に、ステップ２０５に戻る。
【００５３】
上述の内容から理解できるように、図１および図２に示された装置の実装により、ユーザがどんな地理的位置であっても、特定のソフトウェアアプリケーションをインストールしなくても任意の装置（コンピュータ、携帯電話、ＰＤＡ）から、純水精製システムに組み込まれたまたは関連付けられたウェブインタフェースを介して純水精製システムにアクセスすることが可能になる。
【００５４】
この装置は、例えば、医薬品の研究、分析、治験の品質保証「ＱＡ」および／または治験の品質管理「ＱＣ」の試験室で使用される。この装置は、さらに、ユーザが医薬品安全性試験実施基準に従って作業するのを支援することもできる。
【００５５】
純水精製システムからのデータの印刷は標準ウェブブラウザから実行され、したがって、市販の任意のタイプのプリンタが使用可能である。
【００５６】
ウェブ技術により使用される媒体（ｗｉｆｉ、Ｅｔｈｅｒｎｅｔ（登録商標））は、ＲＳ２３２シリアルリンクの場合よりも非常に速いデータ転送速度（最大１ギガビット／秒）を有する。このことにより、かなり多くのデータ量をダウンロードおよび／または監視することが可能になる。
【００５７】
一変形例として、上述した機能１４１から１４７は、ローカライズされていない、またはローカルサーバ１２５によりホストされていないが、リモートサーバ１５５またはデータベースサーバ１６０によりホストされている。
【００５８】
図３から図５は、ソフトウェアパッケージ（ＬＩＭＳ（「Ｌａｂｏｒａｔｏｒｙ  Ｉｎｆｏｒｍａｔｉｏｎ  Ｍａｎａｇｅｍｅｎｔ  Ｓｙｓｔｅｍ」の略）、ＳＣＡＤＡ（「Ｓｕｐｅｒｖｉｓｏｒｙ  Ｃｏｎｔｒｏｌ  ａｎｄ  Ｄａｔａ  Ａｃｑｕｉｓｉｔｉｏｎ」の略）や通信基盤としてｈｔｔｐ（ハイパーテキスト転送プロトコルの略）および交換ファイルを使用する他のソフトウェアアプリケーションなどの他のコンピュータ制御システム、およびＯＥＭ（ＯＥＭは相手先商標製品の製造会社の略）タイプの状況で純水精製システムを統合する必要のある臨床分析機器や他のシステムなどの組み込みシステムとの純水精製システムの構成可能なインタフェースに関する。
【００５９】
このインタフェースの目的は、純水精製システムにおいて、システムの更新や変更を行わないで交換ファイルのコンテンツおよびコンテンツが提示されるフォーマットに適応可能にすることである。このインタフェースは、ユーザが自分の要求に従って可能な交換ファイルを構成できるように、種々の交換ファイルを構成するために設けられた図３に示されたような使いやすく直観的なインタフェースに基づいている。
【００６０】
リスト３０８に示された利用可能なコンテンツは、以下のさまざま種類のコンテンツである：
システムのセンサから送られる物理的測定値（温度、圧力、抵抗力、導電率、全有機体炭素成分「ＴＯＣ」、水位、および純水精製プロセスに必要な他の測定値）、
純水精製システムを構成する電気装置に関する測定値（電圧、電流、紫外線放射、および純水精製システムを構成する電気装置の監視に関連する他の測定値）、
システム内に組み込まれるソフトウェアに付随する任意の他の情報、例えば、較正データ、構成データ、警報、警告、エラー、履歴、オーディットトレイル情報（すなわち、コンピュータのシステムリソースの使用の記録）、消費量とプロセスの状態とに関する情報、消費量とハードウェアとに関する情報。
【００６１】
利用可能なコマンド（図示せず）、状態制御フィールド、または設定値入力フィールドのリストから選択することによって（ドラッグアンドドロップによって）、この同じ方法でシステムを制御することも可能である。
【００６２】
種々の交換ファイルを構成する機能の図３に示されたユーザインタフェースは、純水精製システムに組み込まれたウェブサーバに接続された任意のウェブブラウザからアクセス可能なウェブページにすぎない。
【００６３】
このインタフェース３００によって、ユーザはリスト３０８から利用可能な純水精製システムのデータおよび／またはコマンドを、３０７でリストアップされた交換ファイルのうちの１つのコンテンツを表すテキスト領域３０６にドラッグアンドドロップすることができる。図３では、マウスなどのポインティングデバイスによって、ユーザは用語「温度」を領域３０８から領域３０６に移動させて、領域３０４で識別されたファイルのコンテンツ３０９に挿入する。データの項目が領域３０６に置かれると、識別子が代わりに交換ファイルのコンテンツの位置３０９に挿入され、後でその識別子はウェブサーバがデータの項目の実値と置換する。ユーザは、リスト３０７から交換ファイルを選択した後で、「削除」ボタン３０１を押すことで、交換ファイルを削除することができる。ユーザは、領域３０６に基づいて交換ファイルのデータの提示を整理する。従来からのテキストエディタと同じ方法で、テキストの「カットアンドペースト」などの機能も領域３０３から利用可能である。ユーザは、次に、フィールド３０５により自分の交換ファイルに最も適したＭＩＭＥのタイプを選択して、最後に、ＵＲＬ（「Ｕｎｉｆｏｒｍ  Ｒｅｓｏｕｒｃｅ  Ｌｏｃａｔｏｒ」の略）を定義してテキスト領域３０４にそのＵＲＬを入力して交換ファイルにアクセスすることができる。
【００６４】
交換ファイルは、バイナリ、テキスト、ＣＳＶファイル（ＣＳＶは、「カンマ区切りフォーマット」の略）などの独自仕様のフォーマットとするか、またはＸＭＬ（拡張マークアップ言語の略）、ＨＴＭＬ（「ハイパーテキストマークアップ言語の略」、ＪＳＯＮ（「Ｊａｖａ（登録商標）Ｓｃｒｉｐｔ  Ｏｂｊｅｃｔ  Ｎｏｔａｔｉｏｎ」の略）などの標準フォーマット他に基づくことができる。リスト３０８は、純水精製システムの全てのデータおよびそのコマンドを、さまざまなフォーマット（テキスト、ｕｔｆ８、バイナリなど）で表示する。値に関しては、１６進、８進、２進、１０進）などのさまざまなフォーマットで示され得る。
【００６５】
図４に示されるように、交換ファイル４０４の処理が終了されると、１つ以上の外部システム４０７によって利用可能になる。外部システム４０７は、ウェブサーバ４０２経由でｈｔｔｐ４０８を使用して１つ以上の交換ファイル４０４を取得する。サーバ４０２が交換ファイル４０４を送信する時、交換ファイル４０４内にある種々の識別子を識別するためにウェブサーバ４０２のＳＳＩ（Ｓｅｒｖｅｒ  Ｓｉｄｅ  Ｉｎｃｌｕｄｅ）により分析される。
【００６６】
この場合、ＳＳＩは通常はサーバの管理のために設けられたものであることを思い出すべきである。ＳＳＩは、ウェブサイトの全てのページにわたって同一のウェブページの一部を１つのファイル内に保存できるようにすることによって、ウェブサイトの保守を容易にする。これらは、ページのヘッダおよびフッタである場合が多く、サイト名、その作者の詳細な連絡先などの情報を含む。
【００６７】
本発明のいくつかの実施形態において、このＳＳＩは、独自の方法で、実行されるファイルを管理するのに使用されている（図４参照）。ＳＳＩコマンドは、ページが訪問者に送信される前にサーバによって実行される。ＳＳＩを使用して、動的情報が交換ファイル内に直接組み込まれ得る。このようにして、ＣＧＩプログラムが起動され、その出力がＨＴＭＬファイルに組み込まれる、または、別のＣＧＩスクリプトを経由しなくても、さまざまなＣＧＩ環境変数の現在のコンテンツがＨＴＭＬで直接表示され得る。
【００６８】
ＨＴＭＬファイルがＳＳＩ命令を含むとウェブサーバが認識するためには、そのファイルは優先的に特別なファイル拡張子、「ｓｈｔｍｌ」、「ｓｈｔｍ」、または「ｓｈｔ」の拡張子をつけられる。
【００６９】
ＳＳＩ（Ｓｅｒｖｅｒ  Ｓｉｄｅ  Ｉｎｃｌｕｄｅ）は、ＨＴＴＰサーバにより実行される小さいスクリプト言語が構成されるようにするコマンドのセットである。ＳＳＩにより、特に、クライアントによってロードされたウェブページ内にファイルを動的に含め、ページのロード時の条件を設定することができる。したがって、サーバはクライアントに送信されるＨＴＭＬページをオンザフライで構成する。クライアントから見ると、ページは単なるＨＴＭＬ（すなわち、ＳＳＩ処理されていないＨＴＭＬ）で現れる。
【００７０】
ウェブサーバ４０２が識別子を見つけると、その識別子を識別されたデータの項目の実値と置換する。データのその項目は種々の種類の項目（上述したように、特に、システムのセンサから送られた物理的測定値、純水精製システムを構成する電気装置に関する測定値、システムに組み込まれたソフトウェアに関連する他の情報の利用可能なコンテンツ）とすることが可能である。
【００７１】
ウェブサーバ４０２は、純水精製システムの一体部分をなし、以下の方法では、理解しやすくするために、ウェブサーバは純水精製システムを構成する要素４０５（電機装置、センサ、電子カード、ソフトウェアアプリケーションなど）から切り離されている。
【００７２】
ユーザは自分の交換ファイルを任意のウェブブラウザ４０６から構成することができる。
【００７３】
さらに外部システムによる要求に対して、コマンドの実行、例えば、システムの動作モードは同様に機能し、ウェブサーバは交換ファイルを送信し、同時に交換ファイルを分析する。ウェブサーバがコマンドの識別子に達すると、コマンドが実行され、その後、識別子はその結果と置換される。例えば、モード変更の場合、コマンドが実際に実行された場合、識別子は「真」で置換され、コマンドが実行されなかった場合、識別子は「偽」で置換され、このようにして、外部システムはコマンドが実際に実行されたか否かがわかる。
【００７４】
図５を参照すると、特定の実施形態で、本発明の方法は、最初に、知られている技術に従って第１のリモートブラウザによってウェブサーバにアクセスするステップ５０２を含むことが分かる。
【００７５】
次に、ステップ５０４では、第１のリモートブラウザ経由で、ユーザが利用インタフェースの編集を選択する。
【００７６】
ステップ５０６では、サーバは、知られている技術に従ってユーザ名およびパスワードを第１のブラウザから要求し、第１のブラウザから受信し、検証する。
【００７７】
ステップ５０８では、サーバは第１のリモートブラウザにより表示するための編集インタフェースを提供する。前記編集インタフェースは、純水精製システムに関連付けられた物理量を表す利用情報を選択するための領域を含む。
【００７８】
純水精製システムに関連付けられた物理量を表す利用情報を選択するためのこの領域は：
純水精製システムの水量の少なくとも１つの瞬間値、
予防保全の動作を表す情報の少なくとも１つの項目、
前記純水精製システムに残っている消費量を表す情報の少なくとも１つの項目、
純水精製システムの適格性および有効性を表す情報の少なくとも１つの項目、
純水精製システムの情報を表す動作診断の少なくとも１つの項目、
純水精製システムを操作するためのソフトウェアアプリケーションの更新を表す情報の少なくとも１つの項目、
純水精製システムで発生するイベントに関連付けられた電子メールを表す情報の少なくとも１つの項目、および／または
純水精製システムの過去の使用量を表す情報の少なくとも１つの項目を含む。
【００７９】
ステップ５１０で、ユーザは、第１のリモートブラウザ経由で、利用情報の少なくとも１つの前記項目を選択する。図３では、この選択は、リスト３０８から利用情報のこの項目の表示を領域３０６にドラッグすることを含む。
【００８０】
ステップ５１２では、サーバは前記純水精製システムの少なくとも１つの利用インタフェースページを構成し、その利用インタフェースページは、ステップ５１０で選択された情報の各項目を含む。
【００８１】
ステップ５１４で、第１のブラウザによって制御インタフェースを選択する時に、サーバは第１のリモートブラウザにより表示するための編集インタフェースを提供する。前記編集インタフェースは、純水精製システムのための設定値を表す利用情報を選択する領域を含む。
【００８２】
ステップ５１６で、ユーザは第１のリモートブラウザ経由で少なくとも１つの前記設定値を選択する。
【００８３】
ステップ５１８で、サーバは前記純水精製システムの少なくとも１つの利用インタフェースページを構成する。その利用インタフェースページは、ステップ５１６で選択された情報の各項目を含む。
【００８４】
ステップ５１２、５１８で、サーバは、編集中に利用情報の前記各項目の識別子をページの記述に挿入する。
【００８５】
このように構成されたページは、ステップ５１０で選択された利用情報と、ステップ５１６で選択された設定値を入力するフィールドとの両方を含むことができることに留意されたい。
【００８６】
ステップ５２０で、第１のリモートブラウザと同じである可能性がある第２のリモートブラウザ経由で、ユーザまたはコンピュータアプリケーションが純水精製システムを選択する。
【００８７】
ステップ５２２で、第２のリモートブラウザは、組み込まれたサーバに対して利用ページにアクセスする要求を送信する。
【００８８】
ステップ５２４で、サーバはその要求を受信する。
【００８９】
ステップ５２６で、サーバは、前記要求、表示する各状態、ページ内に表される任意の情報に関連するページを構成するために選択された情報の項目により表される各物理量の値を収集する。ステップ５２６で、サーバは、要求されたページの記述を調べ、選択された情報の識別子を見つけるたびに、第２のリモートブラウザに提供するために、その識別子をページ内に表されている物理量の値と置換する。
【００９０】
ステップ５２８で、組み込まれたサーバは、収集された前記各値を含む前記ページを提供する。優先的に、この提供は交換ファイル４０４を介して行われる（図４を参照）。優先的に、ステップ５２８で、提供されたページは純水精製システムの概略フローを表す。
【００９１】
ステップ５３０で、第２のブラウザはサーバにステップ５１８で生成されたフィールドの設定値を提供する。
【００９２】
ステップ５３２で、サーバは、前記各設定値に基づいて、純水精製システムのコンピュータアプリケーション経由で純水精製システムを制御する。
【００９３】
図６には、ブラウザにより表示される利用インタフェースを見ることができる。このインタフェースでは、純水精製システムの水流回路で表示されるシステムおよびセンサが表されている。
【００９４】
導電率計６０２は、その下に測定された導電率の値が示されている。同様に、温度計６０４は、その下に測定された温度の値が示されている。再循環バルブ６０６の状態は、バルブの表示の下に記載されている。ポンプ６０８については、ポンプに印加される電流と電圧とがその表示の下に記載されている。最後に、紫外線浄化システム６１０については、使用される波長とシステムを通る電流とが図の表示の上に示されている。
【００９５】
例えば、ダブルクリックでコンポーネントまたはシステムの１つを選択することによって、ユーザは、例えば、その状態を制御し、測定値の履歴および保全動作の履歴を調べ、値を設定し、または処理される水量または利用可能な消費量の量を読みだす。
【００９６】
上述の説明を読めば理解できるように、図６に示された純水精製システムの監視は容易であり、標準ウェブブラウザを有する端末により遠隔設定され、遠隔で実行され得る。
【図１】
0005698983.tif 000002
【図２】
0005698983.tif 000003
【図３】
0005698983.tif 000004
【図４】
0005698983.tif 000005
【図５】
0005698983.tif 000006
【図６】
0005698983.tif 000007